(57)【要約】【課題】高解像度な映像情報を表示可能な車両情報表示装置とそれを利用して車両の内・外に情報を表示可能な車両用情報表示システムを提供する。【解決手段】車両のシールドガラスの一部を表示領域として利用し、情報を前記車両の内部に表示する車両情報表示装置は、前記車両の内部に設けられ、前記情報の映像光を投射する映像表示装置と、前記シールドガラスの一部に設定された前記表示領域の内側面に設けられた透明シートと、前記映像表示装置からの前記映像光の方向を前記透明シートに向けて変換する光方向変換パネルと、前記透明シートは、前記シールドガラス側から前記映像表示装置に向かって順に、位相差板、特定の偏波を吸収する吸収型偏光板、光拡散作用を有した透明シート材を含み、前記光方向変換パネルによって、方向が変換された前記映像光による前記情報を、前記車両の内部に向けて表示する。【選択図】図３
2020134633.tif 000002
【特許請求の範囲】
【請求項１】
車両のシールドガラスの一部を表示領域として利用し、情報を前記車両の内部に表示する車両情報表示装置であって、
前記車両の内部に設けられ、前記情報の映像光を投射する映像表示装置と、
前記シールドガラスの一部に設定された前記表示領域の内側面に設けられた透明シートと、
前記映像表示装置からの前記映像光の方向を前記透明シートに向けて変換する光方向変換パネルと、を備え、
前記透明シートは、前記シールドガラス側から前記映像表示装置に向かって順に、位相差板、特定の偏波を吸収する吸収型偏光板、光拡散作用を有した透明シート材を含み、前記光方向変換パネルによって、方向が変換された前記映像光による前記情報を、前記車両の内部に向けて表示する、車両情報表示装置。
【請求項２】
請求項１に記載の車両情報表示装置において、
前記光方向変換パネルの一方の面に設けられ、外光の表面反射を低減する保護カバーを備えた、車両情報表示装置。
【請求項３】
請求項１または２に記載の車両情報表示装置において、
前記透明シートは、前記映像光を反射することにより、前記車両の内部に向けて前記情報を表示する、車両情報表示装置。
【請求項４】
請求項１または２に記載の車両情報表示装置において、
前記透明シートは、前記映像光を透過することにより、前記車両の外部に向けて前記情報を表示する、車両情報表示装置。
【請求項５】
請求項１に記載の車両情報表示装置において、
前記光方向変換パネルはリニアフレネルレンズにより形成されている、車両情報表示装置。
【請求項６】
請求項２に記載の車両情報表示装置において、
前記保護カバーは、前記車両の外部からの偏光波成分を吸収または反射する膜またはフィルムを有する、車両情報表示装置。
【請求項７】
車両のシールドガラスの一部を表示領域として利用し、情報を前記車両の外部に表示する車両情報表示装置であって、
前記車両の内部に設けられ、前記情報の映像光を投射する映像表示装置と、
前記シールドガラスの一部に設定された前記表示領域の内側面に設けられた透明シートと、
前記映像表示装置からの前記映像光の方向を前記透明シートに向けて変換する光方向変換パネルと、を備え、
前記透明シートは、前記シールドガラス側から前記映像表示装置に向かって順に、光拡散作用を有した透明シート材、位相差板、特定の偏波を吸収する吸収型偏光板を含み、前記光方向変換パネルによって、方向が変換された前記映像光による前記情報を、前記車両の内部または外部に向けて表示する、車両情報表示装置。
【請求項８】
請求項７に記載の車両情報表示装置において、
前記光方向変換パネルの一方の面に設けられ、外光の表面反射を低減する保護カバーを備えた、車両情報表示装置。
【請求項９】
請求項７または８に記載の車両情報表示装置において、
前記透明シートは、前記映像光を反射することにより、前記車両の内部に向けて前記情報を表示する、車両情報表示装置。
【請求項１０】
請求項７または８に記載の車両情報表示装置において、
前記透明シートは、前記映像光を透過することにより、前記車両の外部に向けて前記情報を表示する、車両情報表示装置。
【請求項１１】
請求項７に記載の車両情報表示装置において、
前記光方向変換パネルはリニアフレネルレンズにより形成されている、車両情報表示装置。
【請求項１２】
請求項８に記載の車両情報表示装置において、
前記保護カバーは、前記車両の外部からの偏光波成分を吸収または反射する膜またはフィルムを有する、車両情報表示装置。
【請求項１３】
車両のシールドガラスの一部を利用して情報を表示する車両用情報表示システムであって、
請求項１〜１２のいずれか一項に記載の車両情報表示装置を前記車両内に少なくとも１つ備え、
前記車両のシールドガラスの一部を表示領域として利用し、前記車両情報表示装置からの映像光を、前記車両の前記シールドガラスの一部に設定された前記表示領域の内側面に設けられた透明シートに向けて投射する、車両用情報表示システム。
【請求項１４】
請求項１３に記載の車両用情報表示システムにおいて、
前記シールドガラスは、フロントガラスである、車両用情報表示システム。
【請求項１５】
請求項１４に記載の車両用情報表示システムにおいて、
前記フロントガラスでは、複数の前記車両情報表示装置を利用し、前記映像光の情報を、前記車両の内部および外部に向けて表示する、車両用情報表示システム。
【請求項１６】
請求項１４に記載の車両用情報表示システムにおいて、
ヘッドアップディスプレイ装置を搭載した、車両用情報表示システム。
【請求項１７】
請求項１３に記載の車両用情報表示システムにおいて、
前記シールドガラスは、リアガラスまたはサイドガラスである、車両用情報表示システム。
【請求項１８】
請求項１７に記載の車両用情報表示システムにおいて、
前記リアガラスまたは前記サイドガラスでは、少なくとも１つの前記車両情報表示装置を利用し、前記映像光の情報を、前記車両の外部に向けて表示する、車両用情報表示システム。
【発明の詳細な説明】
【技術分野】
【０００１】
本発明は、自動車や電車や航空機等（以下では、総称して「車両」と言う）のフロントガラスやリアガラスやサイドガラス等、または、コンバイナなどに映像光を投射して表示する車両情報表示装置に関し、特に、映像情報をフロントガラスやリアガラス等を介して反射または透過し、車両の内部または外部に対して一方向に表示することが可能な車両情報表示装置および車両用情報表示システムに関する。
【背景技術】
【０００２】
自動車のフロントガラスやコンバイナに映像光を投射して虚像を形成しルート情報や渋滞情報などの交通情報や燃料残量や冷却水温度等の自動車情報を表示する、いわゆる、ヘッドアップディスプレイ（ＨＵＤ：Ｈｅａｄ−Ｕｐ−Ｄｉｓｐｌａｙ）装置は、例えば、特許文献１などにより既に知られている。
【０００３】
この種の情報表示装置においては、一般的に、運転者の視点の移動を低減することを目的として映像情報を虚像として監視可能とするため、映像表示装置に表示された映像を、凹面ミラー（凸レンズの作用）を含む光学系を用いて運転者の視点に投射するものが多く採用されている。
【０００４】
また、この種の情報表示装置とは異なるが、一般に、スクリーンを備えた映像表示装置において利用されるスクリーンとして、バインダや微粒子を含む光拡散層を備えた透明スクリーンまたは反射型スクリーンは、既に以下の特許文献２および３により既に知られている。
【先行技術文献】
【特許文献】
【０００５】
【特許文献１】特開２０１５−１９４７０７号公報
【特許文献２】特許第６１３３５２２号公報
【特許文献３】特許第６１９９５３０号公報
【発明の概要】
【発明が解決しようとする課題】
【０００６】
上述した従来技術であるヘッドアップディスプレイ方式の車両情報表示装置では、運転者から車両外部の視界を妨げることのないよう、虚像であるＡＲ（Ａｕｇｍｅｎｔｅｄ−Ｒｅａｌｉｔｙ＝拡張現実）情報を表示する。しかしながら、例えば、地図などの情報を表示する場合には、表示された地図情報が外部の視界の妨げとなってしまうことがある。また、かかる車両情報表示装置では、表示可能な領域を拡大することが望まれる一方、虚像が高解像度で視認性が高いことも要求されている。そのため、高品位な映像が容易に得られ、かつ、安価であることから、液晶表示素子（液晶表示パネル）が用いることが多いが、一方で、セットの小型化のためには、小型の液晶表示素子が用いられることから、得られる投射画像の解像度が不足し、例えばスマートフォンなどに表示される高解像度な映像を表示するには不向きであると言う新たな課題が明確になった。
【０００７】
また、かかるヘッドアップディスプレイ方式の車両情報表示装置は、車両の外部に対して映像情報を表示することを目的とするものではない。そのため、車両の外部に対して映像情報を表示しようとする場合、車両の内部にディスプレイ等の映像表示装置等を搭載し、車両のガラス越しに当該映像情報を表示することが行われる。しかしながら、その場合、これらの映像表示装置が運転者の視界を妨害することとなり、安全運転上も好ましくない。
【０００８】
なお、従来技術である特許文献２および３では、情報表示装置において利用されるバインダや微粒子を含む光拡散層を備えた反射型スクリーンまたは透明スクリーンが開示されているが、本発明が関わる車両における応用やそのための具体的な方法や形態や構成については何ら教示されていない。
【０００９】
本発明は、従来のヘッドアップディスプレイ方式の車両情報表示装置に代え、車両のシールドガラスであるフロントガラス（更には、リアガラスやサイドガラス）を介して高解像度な映像情報が表示可能であって、その場合、表示された映像情報は、車両内部においては運転者を含む搭乗（同乗）者からは視認可能であるが、他方、車両の外部からは不可能であり、あるいは、車両の外部からは視認可能であるが、他方、車両の内部の搭乗（同乗）者からは不可能である、いわゆる、一方向性の表示が可能な車両情報表示装置を提供することを目的とする。更には、かかる車両情報表示装置を利用した車両用情報表示システムを提供することを目的とする。
【課題を解決するための手段】
【００１０】
本発明では、上述した目的を達成するため、車両のシールドガラスの一部を表示領域として利用し、情報を前記車両の内部に表示する車両情報表示装置であって、前記車両の内部に設けられ、前記情報の映像光を投射する映像表示装置と、前記シールドガラスの一部に設定された前記表示領域の内側面に設けられた透明シートと、前記映像表示装置からの前記映像光の方向を前記透明シートに向けて変換する光方向変換パネルと、を備え、前記透明シートは、前記シールドガラス側から前記映像表示装置に向かって順に、位相差板、特定の偏波を吸収する吸収型偏光板、光拡散作用を有した透明シート材を含み、前記光方向変換パネルによって、方向が変換された前記映像光による前記情報を、前記車両の内部に向けて表示する、車両情報表示装置が提供される。
【００１１】
また、本発明では、上述した目的を達成するため、車両のシールドガラスの一部を利用して情報を表示する車両用情報表示システムであって、前記車両内に設けられた請求項１〜１２に記載の車両情報表示装置を複数備え、前記車両のシールドガラスの一部を表示領域として利用し、前記複数の車両情報表示装置からの映像光を、前記車両の前記シールドガラスの一部に設定された前記表示領域の内側面に設けられた透明シートに向けて投射する、車両用情報表示システムが提供される。
【発明の効果】
【００１２】
本発明によれば、高解像度な映像情報を一方向に表示が可能な車両情報表示装置が提供され、更には、かかる車両情報表示装置を利用した新規で利用性に優れた車両用の情報表示システムが提供されるという効果を発揮する。
【図面の簡単な説明】
【００１３】
【図１】本発明の一実施の形態に係る車両用情報表示システムを搭載する自動車の上面図およびフロントガラスの曲率半径の違いを説明する図である。
【図２】本発明の一実施の形態に係る車両用情報表示システムを構成する車両情報表示装置の概略構成示す図である。
【図３】車両情報表示装置のより具体的な構成について説明する図である。
【図４】車両情報表示装置を構成する映像投射装置の光源装置の詳細な構成を示す図である。
【図５】映像投射装置を構成する光源装置の光学系の一例を示す図である。
【図６】車両情報表示装置を構成する光方向変換パネルの原理を説明するための図である。
【図７】車両情報表示装置を構成する保護カバーの概略構成を示す横断面図である。
【図８】車両情報表示装置を構成する一方向性の透明シートの構成と作用について説明する図である。
【図９】車両情報表示装置を配置した自動車のコックピット内の配置の一例を示す図である。
【図１０】車両情報表示装置を配置した自動車のコックピット内の配置の一例を示す図である。
【図１１】本発明の一実施の形態に係る車両用情報表示システムを構成するＨＵＤ型の情報表示装置の概略構成を示す図である。
【図１２】車両用情報表示システムの変形例について説明する図である。
【図１３】車両用情報表示システムの変形例における透明シートによる作用を示す図である。
【図１４】車両用情報表示システムの他の変形例について説明する図である。
【図１５】Ｓ偏光とＰ偏光による入射角度によるガラスの反射率変化を説明するための概略図である。
【図１６】太陽光の分光放射照度を示す図である。
【発明を実施するための形態】
【００１４】
以下、図面等を用いて、本発明の実施の形態について詳細に説明する。なお、本発明は以下の説明に限定されるものではなく、本明細書に開示される技術的思想の範囲内において当業者による様々な変更および修正が可能である。また、本発明を説明するための全図において、同一の機能を有するものには、同一の符号を付与し、その繰り返しの説明は省略する場合がある。
【００１５】
＜車両情報表示システム＞
図１（ａ）は、本発明の一実施の形態に係る車両情報表示装置１００を、自動車や電車や航空機等のうち、特に、自動車に搭載した場合の上面図である。自動車本体１の運転席前部には、映像光を投射して表示するための透光性の被投射部材としてのフロントガラス６、リアガラス６’、サイドガラス６”等（総称して「シールドガラス」とも言う）が存在する。特に、フロントガラス６は自動車のタイプによって車体に対する傾斜角度が異なる。発明者らは最適な虚像光学系を実現するためこの曲率半径も調査した。その結果、フロントガラス６は、図１（ｂ）に示すように、自動車の接地面に対して水平な水平方向の曲率半径Ｒｈと水平軸に対して垂直方向の曲率半径Ｒｖとでは異なり、ＲｈとＲｖの間には一般に下記の関係が成り立つことが判った。
Ｒｈ＞Ｒｖ
また、この曲率半径の違い、即ち、Ｒｖに対するＲｈは１．５倍から２．５倍の範囲にあるものが多いことも判明した。
【００１６】
本発明は、車両の一部を構成する被投射部材としてのフロントガラス６、リアガラス６’、および／または、サイドガラス６”を介して、運転者が自車を運転する際には、車両内部の運転者や同乗者に映像情報を監視させ、他方、車両の外部に対しても映像情報を表示することが可能なシステムに関する。その結果、運転者や同乗者は、必要な情報をフロントガラス６などの表示領域に適宜表示して、車両内で監視することができるが、他方、車両の外部からは、当該情報を監視することはできない。あるいは、リアガラス６’やサイドガラス６”（フロントガラス６を含んでもよい）を介して、車両の外部に対しても映像情報を表示することができ、この表示した情報は外部からは監視可能であるが、車内からは監視できず、運転者や同乗者が外部の景観を監視することを妨げることなく、運転の妨げとはならない。
【００１７】
また、太陽光などの自然光は、図１６に示すように紫外線から赤外線までの幅広い波長領域の光であるばかりでなく、偏光方向も光の進行方向に垂直な振動方向の光と水平方向の光である２種類の偏光方向（以下Ｓ偏光とＰ偏光と記載）の光とが混ざった状態で存在する。特に、フロントガラス６への入射角度が５０度を超えるような領域では図１５に示すように、ガラス面上での反射率は、Ｓ偏光やＰ偏光、更には、入射角によりそれぞれ異なる。
【００１８】
そこで、本実施の形態では、上述した発明者による知見に基づき、即ち、フロントガラス６を通して侵入する太陽光の多くはＰ偏光成分であることを考慮し、情報表示装置内に侵入する太陽光を含む外光を抑制するためには、特に、Ｐ波成分の低減が有効であること、加えて、情報表示装置から投射される映像光としては、Ｓ波成分を利用することが効果的であることを確認した。
【００１９】
続いて、図２を参照しながら、本発明になる車両用情報表示システムを構成する車両情報表示装置について、その具体的な構成について、以下に図面を参照しながら詳細に説明する。
【００２０】
＜車両情報表示装置の具体的な構成１＞
図２は、映像情報を、車両の一部を構成する透明な被投射部材であるフロントガラス６を介して、運転者が監視する外部景観の一部に表示する車両情報表示装置１００の全体構成を示している。ここでは、フロントガラス６を複数の領域に分割してその一部領域（本例では、フロントガラス６の下部）に映像表示装置（映像投射装置）４８からの映像光をフロントガラス６で拡散・反射させ、その反射像を、直接、運転者や同乗者が一方向に監視する。この結果、運転者や同乗者は、必要な情報をフロントガラス６の表示領域に、適宜、表示して監視することができ、他方、車両の外部からは、当該情報を視認することはできない。
【００２１】
車両情報表示装置１００では、映像表示装置４８は、図２にも示すように、例えば、スマートフォン３００等からの高解像度の地図情報（大型高解像度の映像表示装置の映像）を、以下にも詳述するが、光方向変換パネル５４や保護カバー５０を介して、フロントガラス６の内側表面に投射し、当該フロントガラス６の表面に設けた透明シート（フィルム）５１で監視者（運転者）の眼８に向かって反射させることで、フロントガラス６上に映像を表示する。
【００２２】
なお、この例では、地図情報等を提供するナビゲーション機能を搭載した高性能の携帯端末装置であるスマートフォン３００を利用する場合の一例を示しており、スマートフォン３００からの表示画面が、有線の接続端子を介して、または、Bluetooth（登録商標）やＷｉｆｉ（登録商標）等の無線によって入力されてその映像を表示することが可能となっており、これにより、運転者は、車両情報表示装置１００を利用して、高解像度の映像情報を監視することができる。
【００２３】
なお、ここでは図示しないが、スマートフォン３００は、映像表示装置４８と同様、ＣＰＵ(Central Processing Unit)、ワークメモリや情報蓄積・記憶手段としての機能を有するＲＡＭやＲＯＭ等の各種の固体メモリ等により構成された制御部を備えており、必要な映像を生成してその表示装置（液晶ディスプレイ）に表示する機能を備えていることは当然であろう。
【００２４】
更に、車両情報表示装置１００のより具体的な構成について、図３を用いて説明する。映像表示装置４８を構成する液晶表示パネル（映像表示素子）５２は、例えば、画面サイズが６インチを超える比較的大型な液晶表示パネルにより構成される。一般的に、フロントガラス６の曲率半径は部分的に異なることが多いため、映像を反射させる場所によって表示映像に不均一（縦方向と横方向）な歪が発生する。このため監視方向から反射像を見た場合に正しい映像を得るために歪補正が必要となる。この歪補正によって実用上問題のないレベルの補正を行うにはパネルの解像度は１２８０×７２０ドット以上が必要となる。
【００２５】
また、映像表示装置４８は、上述した液晶表示パネル５２と共に、その光源を構成する光源装置１０１を備えており、図３では、光源装置１０１を、液晶表示パネル５２と共に、その下方に展開斜視図として示している。
【００２６】
この液晶表示パネル（映像表示素子）５２は、図３にも示すように、バックライト装置である光源装置１０１により指向性の強い照明光束を得て、入力される映像信号に応じで変調をかけた映像光を、フロントガラス６に設けた透明シート５１に向かって出射する。
【００２７】
また、この図３では、車両情報表示装置１００は、映像表示装置４８を構成する液晶表示パネル５２と共に、更に、光源装置１０１からの出射光束３０の指向特性を制御する光方向変換パネル５４、および、必要に応じて挟角拡散板を備えて構成されている。即ち、液晶表示パネル５２の両面には偏光板が設けられ、特定の偏波の映像光が映像信号により光の強度を変調して出射する構成となっている。これにより、スマートフォン３００等からの高解像度の映像（大型高解像度の映像表示装置の映像）を、光方向変換パネル５４を介してフロントガラス６に向けて投射し、その表面に設けた透明シート５１を介して、監視者（運転者）の眼８に向けて反射する。
【００２８】
なお、光源装置１０１は、図４にも示すように、例えば、プラスチックなどにより形成され、その内部に後にも詳述するＬＥＤ素子、コリメータ、合成拡散ブロック、導光体等を収納した光源装置１０１のケース（図３参照）から構成されており、その上面には、映像表示装置４８を構成する液晶表示パネル５２が取り付けられている。また、光源装置１０１のケースのひとつの側面には、半導体光源であるＬＥＤ（Ｌｉｇｈｔ  Ｅｍｉｔｔｉｎｇ  Ｄｉｏｄｅ）素子１４ａ、１４ｂや、その制御回路を実装したＬＥＤ基板１０２が取り付けられると共に、当該ＬＥＤ基板１０２の外側面には、上記ＬＥＤ素子および制御回路で発生する熱を冷却するための部材であるヒートシンク１０３が取り付けられている（図３参照）。
【００２９】
他方、光源装置ケース１０１の上面に取り付けられた映像表示装置４８は、液晶表示パネルフレームと、当該フレームに取り付けられた液晶表示パネル５２と、更に、液晶表示パネル５２に電気的に接続されたＦＰＣ（Ｆｌｅｘｉｂｌｅ  Ｐｒｉｎｔｅｄ  Ｃｉｒｃｕｉｔｓ：フレキシブル配線基板）４０３（図３参照）などから構成されている。即ち、液晶表示素子である液晶表示パネル５２は、後にも詳細に説明するが、固体光源であるＬＥＤ素子１４ａ，１４ｂと共に、電子装置を構成する制御回路（ここでは図示せず）からの制御信号に基づいて透過光の強度を変調することによって表示映像を生成する。
【００３０】
続いて、光源装置１０１の構成、即ち、光源装置ケース内に収納されている光学系の一例について、以下に、図４と共に、図５を参照しながら、詳細に説明する。
【００３１】
図４および図５には、光源を構成する複数（本例では、２個）のＬＥＤ素子１４ａ、１４ｂが示されており、これらはＬＥＤコリメータ１５に対して所定の位置に取り付けられている。なお、このＬＥＤコリメータ１５は、各々、例えば、アクリル等の透光性の樹脂により形成されている。そして、このＬＥＤコリメータ１５は、図５（ｂ）にも示すように、放物断面を回転して得られる円錐凸形状の外周面１５６を有すると共に、ＬＥＤコリメータ１５の頂部では、その中央部に凸部（即ち、凸レンズ面）１５７を形成した凹部１５３を有する。また、ＬＥＤコリメータ１５の平面部の中央部には、外側に突出した凸レンズ面（あるいは、内側に凹んだ凹レンズ面でもよい）１５４を有している。なお、ＬＥＤコリメータ１５の円錐形状の外周面を形成する放物面１５６は、ＬＥＤ素子１４ａから周辺方向に出射する光をその内部で全反射することが可能な角度の範囲内において設定され、あるいは、反射面が形成されている。
【００３２】
他方、ＬＥＤ素子１４ａ、１４ｂは、その回路基板である、いわゆる、ＬＥＤ基板１０２の表面上の所定の位置にそれぞれ配置されている。このＬＥＤ基板１０２は、ＬＥＤコリメータ１５に対して、その表面上のＬＥＤ素子１４ａまたはＬＥＤ素子１４ｂが、それぞれ、その凹部１５３の中央部に位置するように配置されて固定される。
【００３３】
かかる構成によれば、上述したＬＥＤコリメータ１５によって、ＬＥＤ素子１４ａまたはＬＥＤ素子１４ｂから放射される光のうち、特に、その中央部分から上方（図の右方向）に向かって放射される光は、ＬＥＤコリメータ１５の外形を形成する２つの凸レンズ面１５７、１５４により集光されて平行光となる。また、その他の部分から周辺方向に向かって出射される光は、ＬＥＤコリメータ１５の円錐形状の外周面を形成する放物面によって反射され、同様に、集光されて平行光となる。換言すれば、その中央部に凸レンズを構成すると共に、その周辺部に放物面を形成したＬＥＤコリメータ１５によれば、ＬＥＤ素子１４ａまたはＬＥＤ素子１４ｂにより発生された光のほぼ全てを平行光として取り出すことが可能となり、発生した光の利用効率を向上することが可能となる。
【００３４】
なお、ＬＥＤコリメータ１５の光の出射側には、以下にも詳述する偏光変換素子２１が設けられている。この偏光変換素子２１は、図５（ａ）からも明らかなように、断面が平行四辺形である柱状（以下、平行四辺形柱）の透光性部材と、断面が三角形である柱状（以下、三角形柱）の透光性部材とを組み合わせ、ＬＥＤコリメータ１５からの平行光の光軸に対して直交する面に平行に、複数、アレイ状に配列して構成されている。更に、これらアレイ状に配列された隣接する透光性部材間の界面には、交互に、偏光ビームスプリッタ（以下、「ＰＢＳ」と省略する）膜２１１と反射膜２１２とが設けられており、また、偏光変換素子２１へ入射してＰＢＳ膜２１１を透過した光が出射する出射面には、１／２λ位相板２１３が備えられている。
【００３５】
この偏光変換素子２１の出射面には、更に、図５（ａ）にも示す矩形状の合成拡散ブロック１６が設けられている。即ち、ＬＥＤ素子１４ａまたはＬＥＤ素子１４ｂから出射された光は、ＬＥＤコリメータ１５の働きにより平行光となって合成拡散ブロック１６へ入射し、出射側のテクスチャー１６１により拡散された後、以下に述べる導光体１７に到る。
【００３６】
導光体１７は、例えば、アクリル等の透光性の樹脂により断面が略三角形（図５（ｂ）参照）の棒状に形成された部材であり、そして、図４および図５からも明らかなように、上記合成拡散ブロック１６の出射面に第１の拡散板１８ａを介して対向する導光体光入射部（導光体光入射面）１７１と、斜面を形成する導光体光反射部（導光体光反射面）１７２と、第２の拡散板１８ｂを介して液晶表示素子の液晶表示パネル５２と対向する導光体光出射部（導光体光出射面）１７３とを備えている。
【００３７】
この導光体１７の導光体光反射部１７２には、図４にも示すように、多数の反射面１７２ａと連接面１７２ｂとが交互に鋸歯状に形成されている。そして、反射面１７２ａ（図では右上がりの線分）は、図において一点鎖線で示す水平面に対してαｎ（ｎ：自然数であり、本例では、例えば、１〜１３０である）を形成している。その一例として、ここでは、αｎは４３度以下（但し、０度以上）に設定されている。
【００３８】
導光体光入射部１７１は、光源側に傾斜した湾曲の凸形状に形成されている。これによれば、合成拡散ブロック１６の出射面からの平行光は、第１の拡散板１８ａを介して拡散されて導光体１７へ入射し、図４からも明らかなように、導光体光入射部１７１により上方に僅かに屈曲（偏向）しながら導光体光反射部１７２に達し、ここで反射して図の上方の出射面に設けた液晶表示パネル５２に到る。
【００３９】
以上に詳述したように、上述した車両情報表示装置１００の映像表示装置４８によれば、光利用効率やその均一な照明特性をより向上すると同時に、モジュール化されたＳ偏光波の光源装置を含め、小型かつ低コストで製造することが可能となる。なお、上記の説明では、偏光変換素子２１をＬＥＤコリメータ１５の後に取り付けるものとして説明したが、本実施の形態はそれに限定されることなく、液晶表示パネルに至る光路中に設けることによっても同様の作用・効果が得られることは、当業者であれば明らかであろう。
【００４０】
なお、導光体光反射部１７２には、多数の反射面１７２ａと連接面１７２ｂとが交互に鋸歯状に形成されており、照明光束は、各々の反射面１７２ａ上で全反射されて上方に向かい、更には、導光体光出射部１７３には挟角拡散板を設けて略平行な拡散光束として指向特性を制御する光方向変換パネル５４に入射し斜め方向から液晶表示パネル５２へ入射する。本実施の形態では光方向変換パネル５４を導光体光出射面１７３と液晶表示パネル５２の間に設けたが液晶表示パネル５２の出射面に設けても同様の効果が得られることは言うまでもない。
【００４１】
＜光方向変換パネル＞
図６は、本発明の一実施の形態に係る車両情報表示装置１００の一部を構成し、上述した映像表示装置４８の上面に設けられる光方向変換パネル５４の原理を説明するための概略説明図である。上述した光源装置１０１の導光体１７からの光束は光方向変換パネル５４の入射面（図の下面）から入射し、出射面（図の上面）に設けられたリニアフレネルレンズのレンズ作用によりに所望の方向θ3に光束を屈折させる。この時、所望の方向θ3は光束のフレネルレンズへの入射角θ2とフレネルレンズのフレネル角θ0と基材の屈折率ｎによりスネルの法則から一義的に導き出される。
【００４２】
この結果、導光体からの略平行光束に所望の方向に指向性を与えることができる。即ち、情報表示装置４８を構成する液晶表示パネル５２からの光である映像光は、車両内部の運転者や同乗者により視認されることなく、以下に述べるフロントガラス６に設けられた透明シート５１へ向かう。本来その後、映像光は透明シート５１によって一方向に反射・拡散されて、その反射像が運転者により視認される。
【００４３】
即ち、この光方向変換パネル５４により、映像表示装置４８（図２または図３参照）からの映像光は、それ自体が、直接、車内から視認されることはなく、そのため運転の邪魔にはなることはなく、その反射光による反射像のみが運転者や同乗者によって監視されることとなる。なお、フレネルレンズの繋ぎ面８８には光吸収性の塗料や顔料を設けることで所望の方向に進む光束以外の光の発生を抑制する。この結果、ウインドガラスで反射した映像光に不要な光が混入することが無くなるので結像性能を損ねることが無くなる。
【００４４】
＜保護カバー＞
図７は、ダッシュボード４７に接して、光方向変換パネル５４の上面に設けられる保護カバー５０の概略構成を示す横断面図である。略透明な基材５６の光出射側の一部にはブラックストライプ５９を設け、太陽光を含めた外光の表面反射を低減するために、ブラックストライプ５９は黒色塗料としてカーボンブラックを含んだ塗料を用いるとよい。またブラックストライプを設けない部分には、表面反射を抑えるため反射防止膜を設けることにより保護カバー５０の表面での外光反射が大幅に軽減され、ドライバが自車を運転する際に外光反射による支障が軽減される。一方、太陽光に対する遮光性能を強化するためには近赤外光および赤外光を反射する特性を反射防止膜に持たせるとよい。
【００４５】
他方、略透明な基材５６の光入射側には、太陽光束のうちＰ波成分を吸収または反射する膜またはフィルム５０ａを、成膜または粘着する。この結果、太陽光のＰ波成分が映像表示装置４８に入射することが無いため、耐光性や耐熱性に関する信頼性が大幅に向上する。一方、映像表示装置４８からの出力されるＳ偏波の映像光を選択的に透過するフィルターの特性も併せ持つため、得られる映像のコントラスト性能が大幅に向上する。
【００４６】
なお、上述した映像表示装置４８を構成する映像源が液晶表示パネル５２であるため、運転者が偏光サングラスを着用している場合には、特定の偏波が遮蔽されて映像が見えない不具合が発生する。これを防ぐために、映像表示装置４８の光出射側に設けた保護カバー５０には、膜またはフィルム５０ａと基材５６の間に、λ／４板またはλ／８板またはλ／１６板などの波長板５０ｂが配置されている。波長板５０ｂを設けることにより、光束の偏光方向を特定の方向に揃え、映像光を最適な偏光角として、偏光サングラスの偏光方向と所望量偏光軸をずらすとよい。
【００４７】
一方、同一偏光でも吸収軸を回転させ、例えば、偏光サングラスの吸収軸に対して液晶パネル出射側偏光板の吸収軸を３０度以上ずらすことで吸収が５０％程度となるため映像が見えない不具合を解消することができる。
【００４８】
また、偏光軸を回転させて円偏光に近づけると、情報表示装置４８からの映像光はＳ偏光から偏光軸が回転する。このため、フロントガラス６による反射率が低下し映像の明るさが低下するので、両者のバランスを取って選択するとよい。
【００４９】
＜一方向性の透明シート＞
次に、透明シート５１の構成と作用について図８により説明する。フロントガラス６（説明の都合上、水平配置とする）に斜め方向から入射する太陽光は、そのＳ偏波は反射し、Ｐ偏波が透過して透明シート５１に向かう。透明シート５１はＳ波を透過する偏光板５７と透明拡散シート材５５および位相差板５８で構成されている。この透明シート５１は、屈折率の大きいナノ粒子ジルコニウムやナノ粒子ダイヤモンドを分散させた熱可塑性高分子を溶かしながら延伸したフィルム、例えば、ＪＸＴＧエネルギー社製「カレイドスクリーン」を用いることで（上述した特許文献３を参照）、映像を表示していない場合には透明であり、運転者が外界（車外）の風景を監視する妨げとならず、他方、映像表示時には、映像光を拡散・反射させ、これにより、運転者や同乗者に映像情報を視認させる一方向性の表示を実現することが可能となる。この時、透明シート５１の拡散透過率と平行光線透過率の比率により定義される曇度（ＨＡＺＥ）は１０％以下であれば実用上問題ないが、望ましくは４％以下であればよい。一方、自動車用のウインドガラスのＨＡＺＵは２％以下である。
【００５０】
映像表示装置４８からの映像光はＳ偏波であるため斜め入射した場合の反射率が高い状態で、前述した透明拡散シート材５５の内部で散乱し監視者に向かって出射する。一方、映像光の一部は散乱により偏光方向が乱れ透明拡散シート５５を拡散透過してフロントガラス６に向かって出射する。フロントガラス６の入射面では屈折率差が小さいため反射光で発生する２重像のレベルは低い。これに対して、フロントガラス６の出射面（外界に接する面）で発生する反射光の強度はＳ偏光成分が大部分であるため反射率が大きい。この面で反射した映像光は反射後再び偏光板５７を通過して吸収されるため監視者側に戻ることが無い。このためフロントガラス６の反射映像により生じる二重像が発生しなくなるので画質が大幅に向上した。なお、同様に、映像の反射面としてフロントガラス６の代わりにコンバイナに前述した透明シート５１を貼っても、同様の効果が得られることは言うまでもない。
【００５１】
以上に述べた透明シート５１によれば、図８にも示したように、昼間の所定条件化においてフロントガラスを通過したＰ偏光の太陽光成分（コンバイナ方式ではその後コンバイナも通過）を車両情報表示装置１００やその上面に設けられる光方向変換パネル５４や保護カバー５０の手前で吸収することで、液晶表示パネルと偏光板に戻らないようにすることが可能となる。
【００５２】
＜車両用情報表示システム＞
以上に詳細に述べた車両情報表示装置１００を備えた車両用情報表示システムによれば、図３において矢印で示すように、シールドガラスであるフロントガラス６の下端領域の映像表示領域に対応したダッシュボード４７の位置（図２参照）に大型高解像度の映像表示装置４８を設け、その表示映像をフロントガラスで反射させることにより、その反射像を、直接、運転者や同乗者に監視させることが可能となる。
【００５３】
上述した映像表示装置４８や透明シート５１を含む本実施の形態の車両情報表示装置１００を配置した自動車のコックピット内の配置の一例を図９に示す。図９（ａ）は左側にステアリングを配置した自動車に対応したシステムを、図９（ｂ）は右側にステアリングを配置した自動車に対応したシステムを示す。図の画像表示領域（透明シート５１の貼付領域に対応する）には、車両情報表示装置１００を用いて映像情報をフロントガラス６で反射させ、その反射像を運転者に監視させる。その際、画像表示領域は、例えば、図に破線で示す自車両のボンネットが監視される範囲など、運転者にとって車外の景観の監視に邪魔とならない範囲や領域に設定することが好ましいであろう。
【００５４】
上述した車両情報表示装置１００は、図にも示すように、フロントガラス６とステアリング４３の間のダッシュボード４７の内部において、フロントガラス６から映像表示装置４８の順に、ステアリング４３に向け配置される。この結果、運転者が自車を運転する際にフロントガラス６を介して監視する外部の景観、即ち、フロントガラス６の一部領域に、車両情報表示装置１００により、大型高解像度の映像表示装置の映像をフロントガラス６で反射させることにより、当該反射像を運転者や同乗者が監視可能な車両用情報表示システムを提供することができる。
【００５５】
なお、図９のルームミラー７１にはドライバの状態監視と自動車内様子をモニタするカメラ７２を設け、例えばドライバの目の高さに合わせて前述した情報表示装置からの映像光の出射方向を制御することも可能であろう。
【００５６】
図１０は、上述の車両情報表示装置１００に加え、助手席の同乗者にも映像情報を提供するシステムを、更には、ヘッドアップディスプレイ（ＨＵＤ）装置をも搭載したシステム（図１０（ｂ））の例を示した概略図である。図１０（ａ）は、図９と同様に、左側にステアリング４３を配置した自動車に対応したシステムを、図１０（ｂ）は右側にステアリング４３を配置した自動車に対応したシステムを示す。
【００５７】
図１０（ａ）では、上述した運転席側の車両情報表示装置１００に加え、更に、助手席側にも第２の車両情報表示装置１００’を搭載し、運転者が監視可能な画像表示領域（１）と共に、フロントガラス６の一部領域（図の右側）には、同乗者が監視可能な画像表示領域（２）を設定した例を示している。加えて、図１０（ｂ）では、更に、ヘッドアップディスプレイ（ＨＵＤ）型の情報表示装置（ヘッドアップディスプレイ装置、以下、「ＨＵＤ装置」と言う）７００を搭載し、同乗者に対しては画像表示領域（２）を設定すると共に、運転者に対しては、情報表示装置４８による画像表示領域（１）に加えて、ＨＵＤ装置７００によるＨＵＤ表示領域を設定した例を示している。
【００５８】
なお、ＨＵＤ装置７００としては、既知の一般的な装置を採用することができるが、ここでは、その一例として、以下にその概略を説明する。
【００５９】
図１１は、ＨＵＤ装置７００をその周辺機器構成を含めて示す概略構成図であり、ここでは、運転者８の視線（アイポイント）において自車両の前方に虚像Ｖ１を形成するため、被投射部材６（フロントガラスの内面）にて反射された各種情報を虚像ＶＩ（Ｖｉｒｔｕａｌ  Ｉｍａｇｅ）として表示する。
【００６０】
ＨＵＤ装置７００では、情報を表示する映像光を投射する映像表示装置７０４と、映像表示装置７０４に表示された映像を凹面（自由曲面）ミラー７０１で虚像を形成する際に発生する歪や収差を補正するために補正用のレンズ素子７０２を備えている。この情報表示装置７００からの映像光束は開口部（図示せず）からフロントガラス６に向かって出射する。
【００６１】
また、ＨＵＤ装置７００は、更に、映像表示装置７０４やそのバックライトを制御する制御装置７４０を備えている。なお、映像表示装置７０４とバックライトなどを含む光学部品は虚像光学系であり、光を反射させる凹面ミラー７０１を含んでいる。また、この光学部品において反射した光は、被投射部材であるフロントガラス６にて反射されて運転者の視線８へと向かう。なお、映像表示装置７０４としては、例えば、バックライトを有するＬＣＤ（Ｌｉｑｕｉｄ  Ｃｒｙｓｔａｌ  Ｄｉｓｐｌａｙ）の他に自発光のＶＦＤ（Ｖａｃｕｕｍ  Ｆｌｏｕｒｅｓｃｅｎｔ  Ｄｉｓｐｌａｙ）などがある。
【００６２】
また、かかるＨＵＤ装置７００を構成する図示の制御装置７４０は、ナビゲーションシステム７６１から、自車両が走行している現在位置に対応する道路の制限速度や車線数、ナビゲーションシステム７６１に設定された自車両の移動予定経路などの各種の情報を、前景情報（即ち、虚像により自車両の前方に表示する情報）として取得する。また、運転支援ＥＣＵ７６２は、周辺監視装置７６３での監視の結果として検出された障害物に従って駆動系や制御系を制御することで、運転支援制御を実現するための制御装置である。かかる運転支援制御としては、例えば、クルーズコントロール、アダプティブクルーズコントロール、プリクラッシュセーフティ、レーンキーピングアシストなどの周知技術を含む。図１１に示す周辺監視装置７６３は、自車両の周辺の状況を監視する装置であり、一例としては、自車両の周辺を撮影した画像に基づいて自車両の周辺に存在する物体を検出するカメラや、探査波を送受信した結果に基づいて自車両の周辺に存在する物体を検出する探査装置などである。
【００６３】
上述したＨＵＤ装置７００の制御装置７４０は、このような運転支援ＥＣＵ７６２からの情報（例えば、先行車両までの距離および先行車両の方位、障害物や標識が存在する位置など）を前景情報として取得する。更に、この制御装置７４０には、イグニッション（ＩＧ）信号、および、自車状態情報が入力される。これらの情報の内、自車状態情報とは、車両情報として取得される情報であり、解像度の高い表示を必要としない、例えば、内燃機関の燃料の残量や冷却水の温度など、予め規定された異常状態となったことを表す警告情報を含んでいる。また、方向指示器の操作結果や、自車両の走行速度、更には、シフトポジション情報なども含まれている。以上述べた制御装置７４０は、イグニッション信号が入力されると起動する。なお、被投射部材としては、情報が投影される部材であればよく、フロントガラス６だけではなく、その他、コンバイナであってもよく、運転者の視線８において自車両の前方に虚像を形成して運転者に視認させるものであればよい。
【００６４】
＜車両用情報表示システムの変形例：外部への表示＞
以上に詳述した実施の形態によれば、運転者が自車を運転する際に、車両を構成するシールドガラスである被投射部材としてのフロントガラス６を介して、必要な映像情報を、車両内部の運転者や同乗者に対して、一方向に、高解像度で表示して監視させることが可能となる。なお、その際、車両の外部からは、当該情報を監視することはできない。しかしながら、本発明の一実施の形態に係る車両用情報表示システムは上述した実施の形態に限定されるものではなく、その他、映像情報を車両の外部に対して表示することも可能である。即ち、上述したフロントガラス６だけではなく、更には、シールドガラスであるリアガラス６’やサイドガラス６”を介しても、同様にして、映像情報を車両内部へ、または、外部に対して表示することが可能である。
【００６５】
例えば、本実施の形態の車両用情報表示システムでは、「空車」などの車両の状態を示す情報を、タクシーのフロントガラス６の一部に、更には、リアガラス６’やサイドガラス６”にも表示し、あるいは、その他、情報宣伝・広告等の情報を、車両の外部に対して表示することも可能である。また、バスや電車などの車両においても、その路線や行先などの情報をフロントガラスやリアガラスやサイドガラスなどに、一方向に、車外に対して表示することも可能である。以下には、情報を外部に対して表示する場合の車両情報表示装置１００”の構成について述べる。
【００６６】
図１２には、被投射部材としてのフロントガラス６を介して、必要な映像情報を、車両の外部に対して、一方向に、高解像度で表示して監視させるシステム、より具体的には、ここでは、タクシーのフロントガラスにタクシーの状態（「空車」など）を表示する例について示す。なお、この変形例では、図２に示した構成において、フロントガラス６の表面に設けた透明シート５１’として、映像表示装置４８からの映像光をフロントガラス６で拡散・透過させ、その映像を、図に矢印で示すように、車両の外部に透過して表示し、例えば、歩行者等が監視可能とするものである。その結果、運転者や同乗者は、必要な情報をフロントガラス６上に車外に対して表示することができるが、その表示が車内から監視する車外の景観の監視を妨害することはなく、運転者の運転を妨げることはない。
【００６７】
なお、透明シート５１’は、透明シート５１と同様に、Ｓ波を透過する偏光板５７と透明拡散シート材５５で構成されており、なお、ここでは、屈折率の大きいナノ粒子ジルコニウムやナノ粒子ダイヤモンドを分散させた熱可塑性高分子を溶かしながら延伸したフィルム、例えば、ＪＸＴＧエネルギー社製「カレイドスクリーン」を用いることで（上述した特許文献２を参照）、映像を表示していない場合には透明であり、他方、映像表示時には、映像光を拡散・透過させる。これにより、運転者や同乗者には映像情報を視認させずに車外の風景の監視を妨げず、外部にのみ情報を表示可能な一方向性の表示を実現することが可能となる。
【００６８】
図１３は、この場合における透明シート５１’による作用を示している。この図からも明らかなように、透明シート５１’は、偏光板５７と透明拡散シート材５５および位相差板５８で構成されており、透明シート５１と同様に、斜め方向から入射する太陽光を、そのＳ偏波は反射し、他方、Ｐ偏波を透過することにより太陽光の照度を軽減する。この時、位相差板５８によってＰ偏光の偏光軸を回転させることで一部の太陽光を偏光板５７で吸収させる。この結果、映像表示装置４８が太陽光により受けるダメージを分散できる。
【００６９】
一方、透明拡散シート材５５の作用によって車外に拡散する映像光はリアガラス６’で反射し車内に戻る。この光はドライバの視界を遮るために運転上支障となる。そこで本実施の形態ではリアガラス６’と偏光板５７の間に位相差板５８を配置し反射光を偏光板で吸収させることで映像光による情報は、車内の運転者や同乗者に視認されることなく、一方向に、車両の外部へ向かって表示される。その際、映像光による情報が、車内の運転手や同乗者による車外の景観の監視を妨げて運転を妨害することもない。以上述べた透明シート５１’の拡散透過率と平行光線透過率の比率により定義される曇度（ＨＡＺＥ）は、１０％以下であれば実用上問題ないが望ましくは４％以下であればよい。一方、自動車用のウインドガラスのＨＡＺＵは２％以下である。
【００７０】
なお、上述したように、フロントガラス６、更には、リアガラス６’やサイドガラス６”等のシールドガラスの一部を利用した車両外部への情報の表示は、例えば、上述したタクシーの空車状態を示す「空車」等の情報を路上の歩行者等に対して表示するのに適しているであろう。また、本発明の一実施の形態に係る車両用情報表示装置は、上述したように、映像情報を、一方向に、フロントガラス６上に表示するだけではなく、更に、例えば、バスや電車などの大型の車両においても、その車両を構成するシールドガラスであるリアガラス６’やサイドガラス６”（図１を参照）などの被投射部材を利用して、宣伝・広告や通知等を含む各種の情報を表示することも可能である。以下には、情報を車両の外部に対して表示する場合の車両用情報表示システムの構成やその作用について述べる。
【００７１】
図１４は、他の変形例として、車両の一部を構成する被投射部材として、車両１を構成するリアガラス６’を介して、例えば、車両の外部にいる歩行者等に対して情報を表示するものである。その結果、運転者や同乗者は、必要な情報を、上述したフロントガラス６上に監視することができるが（図９参照）、同時に、リアガラス６’によっても車外に情報を表示できる。なお、運転者や同乗者は、外部に対して表示した情報については、これを監視することはできず、そのため、運転者の視野を妨害することもない。即ち、車外への情報の表示によって車内の運転者や同乗者が外部の景観を監視することの妨げとはならない。
【００７２】
この例では、図１４（ａ）、図１４（ｂ）に示すように、車両の一部を構成する被投射部材であるリアガラス６’の下方に映像表示装置４８を配置し、その映像光をリアガラス６’の全面または一部に設定した画像表示領域に向けて投射することにより、映像情報の表示を行う。
【００７３】
なお、この例でも、リアガラス６’の画像表示領域には上述した図１３にも示した透明シート５１’が設けられることは当然であろう。加えて、映像情報を車外へ向けて一方向に表示する被投射部材として、上述したフロントガラス６やリアガラス６’に限定されることはなく、その他、例えば、車両の側面を構成するサイドガラス６”（図１を参照）を利用することも可能であり、その場合、ここでは図示しないが、サイドガラス６”の近傍の部材（例えば、隣接する天井面や窓の枠組の一部など）に映像表示装置４８を配置すると共に、サイドガラス６”の画像表示領域には、図１３にも示した透明シート５１’が設けられることは当然であろう。かかるサイドガラス６”への情報の表示は、例えば、タクシーにおいて、「お待たせしました」または「ご乗車ください」等のメッセージを路上の乗客等に対して表示するのに適しているであろう。
【００７４】
加えて、以上に述べた例では、表示する映像情報を、車両を構成する被投射部材であるフロントガラス６やリアガラス６’やサイドガラス６”を介して、一方向に、車両の外部、または、内部に表示する車両情報表示装置１００、１００’、１００”について述べた。しかしながら、本発明はこれらに限定されることなく、例えば、情報を車両の内部に表示する車両情報表示装置１００と共に、情報を車両の外部に対して表示する車両情報表示装置１００’を、適宜、組み合わせることも可能である。このことによれば、例えば、公共の交通機関であるバスや電車などに適用することによれば、そのリアガラス６’やサイドガラス６”を介して、車外の公衆に対して宣伝・広告や通知等を含む各種の情報を表示することが可能であり（但し、車内からは視認されない）、公衆への有効な情報の表示ができる。
【００７５】
以上、種々の実施例について詳述したが、しかしながら、本発明は、上述した実施例のみに限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７６】
１…自動車（車両）本体、６…フロントガラス、６’…リアガラス、６”…サイドガラス、１００…車両情報表示装置、１０１…光源装置、４８…映像表示装置（映像投射装置）、５０…保護カバー、５０ａ…膜またはフィルム、５０ｂ…波長板、５１…透明シート（フィルム）、５２…液晶表示パネル（映像表示素子）、５４…光方向変換パネル、５５…透明拡散シート材、５６…基材、５７…偏光板、５８…位相差板、５９…ブラックストライプ、３００…スマートフォン。
【図１】
2020134633.tif 000003
【図２】
2020134633.tif 000004
【図３】
2020134633.tif 000005
【図４】
2020134633.tif 000006
【図５】
2020134633.tif 000007
【図６】
2020134633.tif 000008
【図７】
2020134633.tif 000009
【図８】
2020134633.tif 000010
【図９】
2020134633.tif 000011
【図１０】
2020134633.tif 000012
【図１１】
2020134633.tif 000013
【図１２】
2020134633.tif 000014
【図１３】
2020134633.tif 000015
【図１４】
2020134633.tif 000016
【図１５】
2020134633.tif 000017
【図１６】
2020134633.tif 000018